(57)【要約】【課題】  コイルとステータコアとの絶縁を確実に行うことが可能な回転電機の製造装置および製造方法を提供することを目的とする。【解決手段】  プッシャ５にはプッシャ矯正部５ｂが存在するため、スロット紙３の開口端部３ｄはプッシャ矯正部５ｂによって屈曲することが規制され、プッシャ矯正部５ｂ表面に沿うことによって略直線状に矯正された上でスロット２に挿入される。すると、湾曲部３ｅのスロット紙の挿入方向の高さと、開口端部３ｄのスロット紙の挿入方向の高さとが略同一とされる。よって湾曲部３ｅ側の出代量Ｎｂ１と、開口端部３ｄ側の出代量Ｎａ１とが略同一となり、カフス先端部３ｂの全部をステータコア上端面１ｕに当接させることができる。すなわちスロット紙３の挿入不足によって生じる出代量不足を防止することができる。【選択図】  図２
2005323433.tif 000002
【特許請求の範囲】
【請求項１】
回転電機のステータコアのスロット内に、カフス部と該カフス部を構成する折り返し部とを備えるスロット紙を、プッシャによって挿入する回転電機の製造装置において、
前記プッシャは、
前記スロット紙の挿入方向後端側の前記折り返し部と当接するプッシャ当接面と、
前記スロット紙が屈曲することを規制する規制部を備えて前記プッシャ当接面に立設されるプッシャ矯正部と
を備えることを特徴とする回転電機の製造装置。
【請求項２】
回転電機のステータコアのスロット内に、カフス部と該カフス部を構成する折り返し部とを備えるスロット紙をプッシャによって挿入し、挿入方向先端側の前記折り返し部の位置決めを行う挿入端位置決め冶具を備える回転電機の製造装置において、
前記挿入端位置決め冶具は、
前記スロット紙の挿入方向先端側の前記折り返し部が当接する挿入端当接面と、
前記スロット紙が屈曲することを規制する規制部を備えて前記挿入端当接面に立設され、前記スロット内に挿入される冶具矯正部と
を備えることを特徴とする回転電機の製造装置。
【請求項３】
前記プッシャ矯正部は、前記プッシャ当接面の前記ステータコア周方向の幅より狭い幅を一辺とする略矩形形状であることを特徴とする請求項１に回転電機の製造装置。
【請求項４】
前記冶具矯正部は、前記挿入端当接面の前記ステータコア周方向の幅より狭い幅を一辺とする略矩形形状であることを特徴とする請求項２に回転電機の製造装置。
【請求項５】
前記プッシャ当接面のうち、前記スロット紙の開口端部に備えられる前記折り返し部が当接する位置に、前記プッシャ矯正部の少なくとも一部が立設されることを特徴とする請求項１または請求項３の少なくとも何れか一方に回転電機の製造装置。
【請求項６】
前記挿入端当接面のうち、前記スロット紙の開口端部に備えられる前記折り返し部が当接する位置に、前記冶具矯正部の少なくとも一部が立設されることを特徴とする請求項２または請求項４の少なくとも何れか一方に回転電機の製造装置。
【請求項７】
回転電機のステータコアのスロット内にスロット紙を挿入する回転電機の製造方法において、
前記スロット紙が屈曲することが規制された上で、前記スロット紙が前記スロットに挿入されることを特徴とする回転電機の製造方法。
【請求項８】
回転電機のステータコアのスロット内にスロット紙を挿入する回転電機の製造方法において、
前記スロット紙が前記スロットに挿入されると同時に、前記スロット紙が屈曲することが規制されることを特徴とする回転電機の製造方法。
【発明の詳細な説明】
【技術分野】
【０００１】
本発明は、回転電機の製造装置および製造方法に関するものであり、特に、コイルとステータコアとの絶縁を確実に行うことが可能な回転電機の製造装置および製造方法に関するものである。
【背景技術】
【０００２】
回転電機の製造工程において、固定子鉄心（ステータコア）とそのスロット内に設けられるコイルとを絶縁する方法に関して、特許文献１、２に記載された従来の方法を説明する。図７に示すように、回転電機のステータコア１０１に複数備えられたスロット１０２に、スロット１０２の平面形状と略同形状に折り曲げ成形されたスロット紙１０３が挿入される。スロット紙１０３には、スロット１０２への挿入方向の先端側および後端側に、スロット紙を折り曲げてなるカフス部１０３ａが形成されている。スロット紙１０３は電気絶縁材料で構成されており、不図示のコイルとステータコア１０１との電気的絶縁を保つものである。スロット紙１０３の挿入後は、カフス先端部１０３ｂがステータコア１０１のステータコア上端面１０１ｕに当接することで、スロット紙１０３の抜けが防止され、その位置が保持されている。
【０００３】
また、その他の回転電機の製造装置についても特許文献２が開示されている。
【特許文献１】特開平６−３４３２３７号公報（段落０００３−０００４）
【特許文献２】特開平１１−１７８２９２号公報（段落０００１−０００２）
【発明の開示】
【発明が解決しようとする課題】
【０００４】
上記従来技術では、スロット紙の挿入時の変形や、ステータコア上下端面からのスロット紙の突出量不足については述べられていない。図８に、スロット１０２内にスロット紙１０３が挿入完了された直後の状態を示す。図８（Ａ）はスロット１０２をステータコア１０１の軸方向上面から見た上面図、図８（Ｂ）は上面図におけるＡ−Ａ線における断面図、図８（Ｃ）は断面図における矢印Ｂ方向から見た図（ティース１０４は無視している）である。スロット１０２には、プッシャ１０５によって、スロット紙１０３が矢印Ｚ方向に挿入される。
【０００５】
図８（Ｃ）において、ステータコア上端面１０１ｕからのスロット紙１０３の突出量を出代量と定義する。このときスロット紙１０３の開口端部１０３ｄ側の出代量Ｎａと、湾曲部１０３ｅ側の出代量Ｎｂとを比較すると、出代量Ｎａの方が出代量が少ない。すると、湾曲部１０３ｅ側に位置するカフス先端部１０３ｂ（図中領域Ｒ１）は、ステータコア上端面１０１ｕを超えて上側へ飛び出すが、開口端部１０３ｄ近傍に位置するカフス先端部１０３ｂ（図中領域Ｒ２）は、ステータコア上端面１０１ｕを超えて上側へ飛び出すことがない。すなわち開口端部１０３ｄ側において、スロット紙１０３の出代量不足が発生する。
【０００６】
ここで、カフス先端部１０３ｂは、ステータコア上端面１０１ｕに当接することで、スロット１０２からのスロット紙１０３の抜け防止の役割をしている。よってカフス先端部１０３ｂがステータコア上端面１０１ｕに出ていない部分（領域Ｒ２）が存在すると、製造過程においてスロット紙１０３に図中下向き（矢印Ｚと反対方向）に力が加わるような場合に、スロット紙１０３がスロット１０２から抜けてしまうおそれがある。またスロット１０２にコイルが巻回される場合などに、スロット紙１０３をスロット１０２内部方向へ押し込む力が加わった場合には、カフス先端部１０３ｂで保持されていない部分のスロット紙（領域Ｒ２）が、スロット１０２内に入り込む事態が発生するおそれがある。するとコイルとステータコア１０１との絶縁が確保できないおそれがあるため問題である。
【０００７】
またスロット紙のＺ方向寸法を長くすることで、カフス先端部１０３ｂがステータコア上端面１０１ｕに飛び出るためのマージンをとれば、上記挿入不足問題を回避できるが、その場合には出代量が大きくなる。コイルをスロットに巻回した場合には、スロット紙１０３の出代部分にコイルが当接するが、出代量が大きくなるとコイルから出代部分に加えられる力が大きくなるため、スロット紙１０３に破れが発生するおそれが高くなり、コイルとステータコアとの絶縁が確保できないおそれがあるため問題である。またスロット紙１０３の出代部分の破れは、モータ小型化のためにコイル成形を高密度に行う場合により発生しやすくなるため、スロット紙のＺ方向寸法を長くすることでモータ小型化が困難になるおそれがあるため問題である。
【０００８】
本発明は前記従来技術の課題の少なくとも１つを解消するためになされたものであり、スロット紙のスロットへの挿入時において、スロット紙の出代量不足の発生を防止することで、コイルとステータコアとの絶縁を確実に行うことが可能な回転電機の製造装置および製造方法を提供することを目的とする。
【課題を解決するための手段】
【０００９】
前記目的を達成するために、請求項１に係る回転電機の製造装置は、回転電機のステータコアのスロット内に、カフス部と該カフス部を構成する折り返し部とを備えるスロット紙を、プッシャによって挿入する回転電機の製造装置において、プッシャは、スロット紙の挿入方向後端側の折り返し部と当接するプッシャ当接面と、スロット紙が屈曲することを規制する規制部を備えてプッシャ当接面に立設されるプッシャ矯正部とを備えることを特徴とする。
【００１０】
また請求項２に係る回転電機の製造装置は、回転電機のステータコアのスロット内に、カフス部と該カフス部を構成する折り返し部とを備えるスロット紙をプッシャによって挿入し、挿入方向先端側の折り返し部の位置決めを行う挿入端位置決め冶具を備える回転電機の製造装置において、挿入端位置決め冶具は、スロット紙の挿入方向先端側の折り返し部が当接する挿入端当接面と、スロット紙が屈曲することを規制する規制部を備えて挿入端当接面に立設され、スロット内に挿入される冶具矯正部とを備えることを特徴とする。
【００１１】
スロット紙挿入方向先端側および後端側のスロット紙には、折り返し部で折り返されることで、カフス部が構成される。プッシャ当接面は、スロット紙の挿入方向後端側の折り返し部と当接し、プッシャによってスロット紙はスロット内に挿入される。挿入端当接面には、スロット紙の挿入方向先端側の折り返し部が当接する。規制部は、スロット紙が屈曲することを規制する。ここで例えば規制部は、平面状に構成され、スロット紙が平面に当接することで屈曲を規制する構造が挙げられる。プッシャ矯正部は当該規制部を備え、プッシャ当接面に立設される。冶具矯正部は当該規制部を備え、挿入端当接面に立設される。そしてスロット紙の挿入時において、プッシャ矯正部または冶具矯正部によってスロット紙が案内されることで、スロット紙が屈曲することが防止される。
【００１２】
これにより、ステータコアの軸方向上端面または下端面からスロット紙の折り返し部までの突出量を、折り返し部の全域に渡って一定量とすることができる。するとスロット紙の一部分に、突出量不足が発生することを防止できる。突出量不足の発生時には、カフス部がステータコアの上端面または下端面へ当接せずに、スロット内に存在する場合があり、製造過程においてスロット紙がスロットから抜けたり、スロット紙がスロット内に入り込むことで、コイルとステータコアとの絶縁が確保できなくなるおそれがある。しかし、突出量不足を防止することにより、上述した絶縁不良の発生のおそれを防止することが可能となる。
【００１３】
なお、プッシャ矯正部は、プッシャ当接面のステータコア周方向の幅より狭い幅を一辺とする略矩形形状であってもよい。また冶具矯正部は、挿入端当接面のステータコア周方向の幅より狭い幅を一辺とする略矩形形状であってもよい。矩形形状の側面部が、スロット紙が屈曲することを規制する規制部とされる。スロット紙は規制部によって屈曲することが規制され、規制部に沿うことによって略直線状に矯正される。
【００１４】
なおプッシャ当接面のうち、スロット紙の開口端部に備えられる折り返し部が当接する位置に、プッシャ矯正部の少なくとも一部が立設されるとしてもよい。また、挿入端当接面のうち、スロット紙の開口端部に備えられる折り返し部が当接する位置に、冶具矯正部の少なくとも一部が立設されるとしてもよい。開口端部は、スロット紙を湾曲させたスロット紙の端部同士で構成される。開口端部の挿入方向先端側および後端側には、折り返し部が存在する。プッシャ当接面には、開口端部の挿入方向後端側の折り返し部が当接する。挿入端当接面には、開口端部の挿入方向先端側の折り返し部が当接する。そして当該折り返し部が当接する位置に、プッシャ矯正部の少なくとも一部または冶具矯正部の少なくとも一部が立設されているため、スロット紙の開口端部は必ずプッシャ矯正部または冶具矯正部によって屈曲することが防止される。
【００１５】
開口端部は他の部分に比して強度が弱く、スロット紙の中で最も屈曲しやすい部位であるため、当該開口端部での屈曲が防止されれば、ステータコアの上端面または下端面から折り返し部までの突出距離を折り返し部の全域に渡って略同一とすることができる。これによりスロット紙の突出量不足が発生することを防止することができる。
【００１６】
なお、回転電機のステータコアのスロット内にスロット紙を挿入する回転電機の製造方法において、スロット紙が屈曲することが規制された上で、スロット紙がスロットに挿入される形態であってもよい。また、スロット紙がスロットに挿入されると同時に、スロット紙が屈曲することが規制される形態であってもよい。
【発明の効果】
【００１７】
本発明によれば、回転電機の製造装置および製造方法において、カフス部を備えるスロット紙をスロットへ挿入する際に、スロット紙の出代量不足の発生をスロット紙の全域に渡って防止することができる。よってカフス部を確実にステータコアの上下面に当接させることができるため、コイルとステータコアとの絶縁を確実に行うことが可能とされる。
【発明を実施するための最良の形態】
【００１８】
以下、本発明の回転電機の製造装置について具体化した実施形態を図１乃至図６に基づき図面を参照しつつ詳細に説明する。本発明に係る第１実施形態を図１乃至図３を用いて説明する。図１に第１実施形態にかかる回転電機の製造装置に備えられたプッシャ５の斜視図を示す。プッシャ５は、プッシャ当接面５ａ、プッシャ矯正部５ｂを備える。プッシャ当接面５ａにはスロット紙３の挿入方向後端側の折り返し部３ｃが当接する。プッシャ矯正部５ｂは、プッシャ当接面５ａが有するステータコア周方向の幅Ｗ１より狭い幅Ｗ２を有する。そしてプッシャ矯正部５ｂはプッシャ当接面５ａ上に立設される。
【００１９】
図２に、スロット２内にスロット紙３が挿入完了された直後の状態を示す。図２（Ａ）はスロット２をステータコア１の軸方向上面から見た上面図、図２（Ｂ）は上面図におけるＡ１−Ａ１線における断面図、図８（Ｃ）は断面図における矢印Ｂ１方向から見た図（ティース４は無視している）である。不図示のスロット紙挿入装置に備えられたプッシャ５によって、スロット２にはスロット紙３が下部から上部に向かって矢印Ｚ方向に挿入される。
【００２０】
作用を説明する。図８の従来図において、スロット紙１０３の挿入時には、スロット紙１０３は挿入方向と反対向きの抵抗力を受ける。このときスロット紙１０３の湾曲部１０３ｅは、面で構成されているため高い強度を有し、変形が抑えられる。一方開口端部１０３ｄは、面が構成されず強度が低いため、抵抗力を支えることができずに変形し、曲線を描いてスロット内側に折れ曲がる（図８（Ｂ））。するとスロット紙１０３の開口端部１０３ｄにおける挿入方向（矢印Ｚ方向）の高さが小さくなるため、図８（Ｃ）において、湾曲部１０３ｅ側の出代量Ｎｂに比して、開口端部１０３ｄ側の出代量Ｎａの方が出代量が少なくなり、開口端部１０３ｄ近傍に位置するカフス先端部１０３ｂ（図中領域Ｒ２）は、ステータコア上端面１０１ｕを超えて上側へ飛び出すことがない。
【００２１】
一方、図２においてはプッシャ矯正部５ｂが存在するため、スロット紙３の開口端部３ｄはプッシャ矯正部５ｂによって屈曲することが規制され、プッシャ矯正部５ｂ表面に沿うことによって略直線状に矯正される。そしてスロット紙３は、矯正された上でスロット２に挿入される。すると図２（Ｃ）に示すように、湾曲部３ｅのスロット紙の挿入方向高さと、開口端部３ｄのスロット紙の挿入方向高さとが略同一とされる。よって湾曲部３ｅ側の出代量Ｎｂ１と、開口端部３ｄ側の出代量Ｎａ１とが略同一となり、カフス先端部３ｂの全部をステータコア上端面１ｕに当接させることができる。すなわちスロット紙３の挿入不足によって生じる出代量不足を防止することができる。
【００２２】
これにより、カフス先端部３ｂの全体を、ステータコア上端面１ｕに当接させることで、スロット２からのスロット紙３の抜け防止の効果を得ることができる。よって、製造過程においてスロット紙３に図中下向き（矢印Ｚと反対方向）に力が加わった場合にスロット紙３がスロット２から抜けることを防止することができる。またスロットにコイルが巻回された場合などに、スロット紙をスロット内部方向へ押し込む力が加わった場合においても、スロット紙３の出代部分がスロット２内に入り込む事態を防止することができる。するとコイルをスロットに巻回した場合に、コイルとステータコア１との絶縁を確保することができる。
【００２３】
またこれにより、挿入不足を回避するためにスロット紙３のＺ方向寸法を長くして、カフス先端部３ｂがステータコア上端面１ｕに飛び出るためのマージンをとる必要がなくなる。すると出代量を抑えることが可能となり、出代量が小さくなると、コイルをスロット２に巻回した場合にコイルからスロット紙３の出代部分に加わる力を小さくすることができるため、スロット紙１０３に破れが発生するおそれを小さくすることができる。
【００２４】
なおステータコア１の軸方向下面においても、上面と同様の作用効果が得られる。図８（Ｃ）に示す従来図のステータコア下面側においては、湾曲部１０３ｅ側の出代量Ｎｂｄに比して、開口端部１０３ｄ側の出代量Ｎａｄの方が出代量が少なくなるため、開口端部１０３ｄ近傍に位置するカフス先端部１０３ｂｄは、ステータコア下端面１０１ｄを超えて下側へ飛び出すことがない。すなわち過挿入が行われることによって、スロット紙１０３の出代量不足が発生する。しかし本実施形態においては、図２に示すように、スロット紙３の開口端部３ｄが略直線状に矯正されることにより、ステータコア１の下面における湾曲部３ｅ側の出代量Ｎｂ１ｄと開口端部３ｄ側の出代量Ｎａ１ｄとを略同一とすることができ、カフス先端部３ｂｄの全部をステータコア下端面１ｄに当接させることが可能となる。
【００２５】
また図３において、スロット紙３の開口端部３ｄに備えられる折り返し部３ｃ（図３領域Ｒ３）が、プッシャ当接面５ａに当接する位置を、当接位置Ｒ４と定義する。このときプッシャ５は、当接位置Ｒ４に少なくとも一部が立設されるようなプッシャ矯正部５ｃを備える形態であってもよい。スロット紙挿入時の抵抗力によって最も変形するのは強度が弱い開口端部３ｄであり、開口端部３ｄがスロット内側に折れ曲がることで出代量不足が発生する。そこでスロット紙３の開口端部３ｄの折れ曲がりを矯正すれば、スロット紙３の湾曲部３ｅ側を矯正することなく、前述した出代量不足を防止することが可能となる。よって図３に示すように、当接位置Ｒ４近傍にのみプッシャ矯正部５ｃが立設される形態が可能とされる。これにより、プッシャ矯正部５ｂ（図１）と同様の効果を得ながら、プッシャ矯正部５ｃの大きさを減少させることができるため、スロット紙３とスロット２の内壁面とのクリアランスをより大きくとることができ、スロット紙挿入時の抵抗を低減させることが可能となる。またプッシャ重量の軽量化を図ることが可能となる。
【００２６】
本発明に係る第２実施形態を図４乃至図６を用いて説明する。図４に、第２実施形態にかかる回転電機の製造装置に備えられた円盤形状の挿入端位置決め冶具７を示す。図４（Ａ）に挿入端位置決め冶具７の下面図を示す。また図４（Ｂ）に下面図のＣ−Ｃ線における挿入端位置決め冶具７およびステータコア１の断面図を示す。挿入端位置決め冶具７には挿入端当接面７ａが備えられ、挿入端当接面７ａには冶具矯正部７ｂが立設される。挿入端当接面７ａには、スロット紙の挿入方向先端側の折り返し部が当接する。冶具矯正部７ｂの構造は前述したプッシャ矯正部５ｂと同様であるため説明を省略する。そして挿入端位置決め冶具７はステータコア１の上面に載置される。このとき冶具矯正部７ｂのそれぞれが、対応するスロット２内に挿入されるように載置される。
【００２７】
図５に、冶具矯正部７ｂが挿入されているスロット２内に、スロット紙３が矢印Ｚ方向に挿入され、その挿入が完了した状態を示す。図５（Ａ）はスロット紙３の開口端部３ｄを通る断面図、図５（Ｂ）は断面図における矢印Ｂ２方向から見た側面図（ティース４は無視している）である。
【００２８】
挿入端位置決め冶具７には出代基準面７ｄが備えられ、出代基準面７ｄはステータコア上端面１ｕに当接する。このとき、挿入端当接面７ａはステータコア上端面１ｕから距離ＮＮを有する位置に固定される。そしてスロット紙３の挿入時において、挿入方向先端側の折り返し部３ｃが挿入端当接面７ａに当接して挿入が完了するため、挿入端の位置決めが行われ、挿入完了時におけるスロット紙３の出代量Ｎａ２およびＮｂ２は、距離ＮＮと同一となる。よって距離ＮＮを調節することにより、出代量を所望の値に設定することが可能となる。
【００２９】
作用を説明する。プッシャ矯正部が備えられていないプッシャ５によって、スロット２には、スロット紙３が下部から上部に向かって矢印Ｚ方向に挿入される。スロット２内には冶具矯正部７ｂが挿入されているため、スロット紙３がスロット２に挿入されると同時に、冶具矯正部７ｂによって案内される。そしてスロット紙３は冶具矯正部７ｂによって屈曲することが規制されることで、略直線状に矯正される。よって図５（Ｂ）に示すように、湾曲部３ｅ側の出代量Ｎｂ２と、開口端部３ｄ側の出代量Ｎａ２が略同一となり、スロット紙３の上面全体に渡るカフス先端部３ｂを、ステータコア上端面１ｕに当接させることができる。すなわちスロット紙３の挿入不足による、出代量不足の発生を防止することができる。
【００３０】
これにより、第１実施形態と同様に、スロット紙３がスロット２から抜ける事態や、スロット紙３の出代部分がスロット２内に入り込む事態を防止することができ、コイルとステータコア１との絶縁を確保することができる。
【００３１】
なお第１実施形態と同様に、ステータコア１の軸方向下面においても、出代量不足の発生を防止することができる効果が得られることはいうまでもない。すなわちステータコア１の下面における湾曲部３ｅ側の出代量Ｎｂ２ｄと、開口端部３ｄ側の出代量Ｎａ２ｄが略同一となり、スロット紙３の下面全体に渡るカフス先端部３ｂｄをステータコア下端面１ｄに当接させることが可能となる。
【００３２】
また図６において、スロット紙３の開口端部３ｄに備えられる折り返し部３ｃ（図３領域Ｒ５）が、挿入端当接面７ａに当接する位置を、当接位置Ｒ６と定義する。このとき挿入端位置決め冶具７は、当接位置Ｒ６に少なくとも一部が立設されるような冶具矯正部７ｃを備える形態であってもよい。なお冶具矯正部７ｃの作用効果は、第１実施形態のプッシャ矯正部５ｃと同様であるためここでは説明を省略する。
【００３３】
尚、本発明は前記実施形態に限定されるものではなく、本発明の趣旨を逸脱しない範囲内で種々の改良、変形が可能であることは言うまでもない。プッシャ矯正部および冶具矯正部は、略矩形形状であるとしたが、この形態に限られない。例えばプッシャ矯正部および冶具矯正部は、挿入方向と平行に構成されたレール形状の規制部を備えてプッシャ当接面および挿入端当接面に立設される形態であってもよいし、突起状の規制部を複数備えてプッシャ当接面および挿入端当接面に立設される形態であってもよい。
【図面の簡単な説明】
【００３４】
【図１】第１実施形態にかかるプッシャ５の斜視図である。
【図２】第１実施形態におけるスロット紙３が挿入完了された直後の状態を示す図である。
【図３】第１実施形態におけるプッシャ矯正部５ｃを備えたプッシャ５の斜視図である。
【図４】第２実施形態にかかる挿入端位置決め冶具７を示す図である。
【図５】第２実施形態におけるスロット紙３が挿入完了された直後の状態を示す図である。
【図６】第２実施形態における冶具矯正部７ｃを備える挿入端位置決め冶具７を示す図である。
【図７】従来技術におけるスロット紙の挿入工程を示す図である。
【図８】従来技術におけるスロット紙１０３が挿入完了された直後の状態を示す図である。
【符号の説明】
【００３５】
１  ステータコア
２  スロット
３  スロット紙
５  プッシャ
５ａ  プッシャ当接面
５ｂ、５ｃ  プッシャ矯正部
７  挿入端位置決め冶具
７ａ  挿入端当接面
７ｂ、７ｃ  冶具矯正部
Ｎａ、Ｎａ１、Ｎａ２、Ｎａ１ｄ、Ｎａｄ、Ｎｂ，Ｎｂ１、Ｎｂ２、Ｎｂ２ｄ、Ｎｂｄ  出代量
【図１】
2005323433.tif 000003
【図２】
2005323433.tif 000004
【図３】
2005323433.tif 000005
【図４】
2005323433.tif 000006
【図５】
2005323433.tif 000007
【図６】
2005323433.tif 000008
【図７】
2005323433.tif 000009
【図８】
2005323433.tif 000010